(57)【要約】【課題】便蓋が開きやすく、かつ、組み立てやすいポータブルトイレを提供する。【解決手段】ポータブルトイレ１は、外郭２０、カム機構を内蔵するカムヒンジ４０、および、ヒンジを有する。外郭２０は、便座および便蓋３０を支持する。カムヒンジ４０は、外郭２０と便蓋３０とを互いに連結する。カム機構は、便蓋３０を開ける方向に作用する力を便蓋３０与える。ヒンジは、外郭２０と便蓋とを互いに連結し、カム機構を内蔵していない。【選択図】図２
2015134042.tif 000002
【特許請求の範囲】
【請求項１】
便座および便蓋を支持する外郭と、
前記外郭と前記便蓋とを互いに連結し、前記便蓋を開ける方向に作用する力を前記便蓋に与えるカム機構を内蔵したカムヒンジと
を備えるポータブルトイレであって、
前記外郭と前記便蓋とを互いに連結し、カム機構を内蔵していないヒンジをさらに備える
ポータブルトイレ。
【請求項２】
前記ポータブルトイレが、少なくとも２つの前記ヒンジを備える、
前記ポータブルトイレの幅方向において前記２つのヒンジの間に前記カムヒンジが配置されている
請求項１に記載のポータブルトイレ。
【請求項３】
手掛が前記便蓋の上面に形成され、
前記手掛を形成する右側の側面および左側の側面の少なくとも一方が、前記便蓋の上面の外方に向けて窪んでいる
請求項１または２に記載のポータブルトイレ。
【請求項４】
前記便蓋が、折り畳み構造を有する蓋であって、前記カムヒンジおよび前記ヒンジと接続される後蓋、前記後蓋の背面に接近するように前記後蓋に対して回転し得る前蓋、ならびに、前記後蓋と前記前蓋とを互いに接続する蓋ヒンジを備える
請求項１〜３のいずれか一項に記載のポータブルトイレ。
【請求項５】
前記ポータブルトイレが、背もたれをさらに備え、
前記背もたれが、前記外郭に取り付けられ、前記外郭との間に開口を形成し、
前記開口の大きさが、途中まで折り畳まれた前記便蓋、または、完全に折り畳まれた前記便蓋が通過し得る大きさであり、
前記便蓋は、開く過程において次第に折り畳まれる構造を有し、
前記カムヒンジは、前記便蓋を開ける方向に作用する力を前記便蓋に与えることにより、前記便蓋を前記背もたれの開口よりも後方側における所定の回転範囲まで自動的に回転させる
請求項４に記載のポータブルトイレ。
【請求項６】
前記カムヒンジは、前記便蓋の回転位置が前記所定の回転範囲に含まれるとき、前記便蓋の回転位置を保持する
請求項５に記載のポータブルトイレ。
【発明の詳細な説明】
【技術分野】
【０００１】
本発明は、介護等に用いられるポータブルトイレに関する。
【背景技術】
【０００２】
特許文献１等をはじめとする各種の文献に開示されるポータブルトイレは、主として介護に用いられる。このため、そのようなポータブルトイレは、使用者の負担を軽減するための様々な工夫が施された構造を有する。
【０００３】
一方、特許文献２は、使用者の利便性を向上させることを目的とした据え置き型のトイレを開示している。このトイレは、便座および便蓋を支持する外郭、および、外郭と便蓋とを互いに連結するカムヒンジを備える。カムヒンジは、便蓋を開ける方向に作用する力を便蓋に与えるカム機構を内蔵している。このトイレによれば、使用者が便蓋を開けるために便蓋をわずかに持ち上げたとき、カムヒンジが便蓋に与える力により、便蓋が所定の回転位置まで自動的に回転する。このため、使用者が便蓋を開けるための手間が軽減され、利便性が向上する。
【先行技術文献】
【特許文献】
【０００４】
【特許文献１】特開２０１２−１５２２５８号公報
【特許文献２】実用新案登録第３１１１６４０号公報
【発明の概要】
【発明が解決しようとする課題】
【０００５】
本願発明者は、ポータブルトイレの使用者の負担をより軽減するため、特許文献２等に開示されるカムヒンジをポータブルトイレに取り入れることを検討した。
カムヒンジは、複数の構成部品を含むため、カム機構を内蔵していないヒンジと比較して、便蓋の滑らかな開閉動作のために、調整作業を行う必要が生じる。ここで、このような調整作業を軽減するために、カムヒンジの数を２つから１つに設定した場合には、便蓋を開閉するときの便蓋の姿勢が安定しなくなるおそれがある。
【０００６】
本発明の目的は、便蓋が開きやすく、かつ、組み立てやすいポータブルトイレを提供することである。
【課題を解決するための手段】
【０００７】
〔１〕本ポータブルトイレの独立した一形態によれば、便座および便蓋を支持する外郭と、前記外郭と前記便蓋とを互いに連結し、前記便蓋を開ける方向に作用する力を前記便蓋に与えるカム機構を内蔵したカムヒンジとを備えるポータブルトイレであって、前記外郭と前記便蓋とを互いに連結し、カム機構を内蔵していないヒンジをさらに備える。
【０００８】
〔２〕前記ポータブルトイレに従属する一形態によれば、前記ポータブルトイレが、少なくとも２つの前記ヒンジを備え、前記ポータブルトイレの幅方向において前記２つのヒンジの間に前記カムヒンジが配置されている。
【０００９】
〔３〕前記ポータブルトイレに従属する一形態によれば、手掛が前記便蓋の上面に形成され、前記手掛を形成する右側の側面および左側の側面の少なくとも一方が、前記便蓋の上面の外方に向けて窪んでいる。
【００１０】
〔４〕前記ポータブルトイレに従属する一形態によれば、前記便蓋が、折り畳み構造を有する蓋であって、前記カムヒンジおよび前記ヒンジと接続される後蓋、前記後蓋の背面に接近するように前記後蓋に対して回転し得る前蓋、ならびに、前記後蓋と前記前蓋とを互いに接続する蓋ヒンジを備える。
【００１１】
〔５〕前記ポータブルトイレに従属する一形態によれば、前記ポータブルトイレが、背もたれをさらに備え、前記背もたれが、前記外郭に取り付けられ、前記外郭との間に開口を形成し、前記開口の大きさが、途中まで折り畳まれた前記便蓋、または、完全に折り畳まれた前記便蓋が通過し得る大きさであり、前記便蓋は、開く過程において次第に折り畳まれる構造を有し、前記カムヒンジは、前記便蓋を開ける方向に作用する力を前記便蓋に与えることにより、前記便蓋を前記背もたれの開口よりも後方側における所定の回転範囲まで自動的に回転させる。
【００１２】
〔６〕前記ポータブルトイレに従属する一形態によれば、前記カムヒンジは、前記便蓋の回転位置が前記所定の回転範囲に含まれるとき、前記便蓋の回転位置を保持する。
【発明の効果】
【００１３】
本ポータブルトイレは、便蓋が開きやすく、かつ、組み立てやすい。
【図面の簡単な説明】
【００１４】
【図１】実施形態のポータブルトイレの斜視図。
【図２】（ａ）実施形態のポータブルトイレから背もたれを省略した平面図、（ｂ）（ａ）の領域ＲＡを拡大して示す平面図。
【図３】実施形態のポータブルトイレの図であり、便蓋が開いた状態の平面図。
【図４】実施形態のヒンジの断面図。
【図５Ａ】実施形態のポータブルトイレの図であり、便蓋が開きかけ状態の斜視図。
【図５Ｂ】実施形態のポータブルトイレの図であり、便蓋が直立した状態の斜視図。
【図５Ｃ】実施形態のポータブルトイレの図であり、便蓋が全開した状態の斜視図。
【発明を実施するための形態】
【００１５】
図１を参照して、ポータブルトイレ１の構成について説明する。
ポータブルトイレ１は、便槽１１、便座１２（図３参照）、肘掛１３、背もたれ１５、外郭２０、および、便蓋３０を有する。便槽１１は、外郭２０の穴に嵌め込まれている。
【００１６】
外郭２０は、外郭２０の下面において下方に突出する４つの脚取付部２１を有する。脚取付部２１は、円筒形状を有する。脚取付部２１には、脚１４が挿入されている。
肘掛１３は、外郭２０の幅方向の両端部に取り付けられている。
【００１７】
背もたれ１５は、外郭２０の上面かつ後端部に取り付けられている。背もたれ１５は、外郭２０に固定される２つの支柱１５Ａと、２つの支柱１５Ａの上端部をかけわたす支持部１５Ｂとを有する。２つの支柱１５Ａ、支持部１５Ｂ、および、外郭２０との間には開口Ｓが形成されている。
【００１８】
便座１２（図３参照）は、外郭２０の上面に取り付けられている。
便蓋３０は、便座１２および便槽１１を覆うように外郭２０の上面かつ後端部に取り付けられている。
【００１９】
図２を参照して、便蓋３０の構成について説明する。
図２（ａ）に示されるように、便蓋３０は、便蓋３０を閉めたときにポータブルトイレ１の前方に位置する前蓋３１、および、前蓋３１よりも後方に位置する後蓋３３、および、ピン３６を有する。
【００２０】
前蓋３１には、前蓋３１の上面から下方に凹んだ手掛部３２が形成されている。手掛部３２は、前蓋３１の後端部から後端部よりも前方にわたり形成されている。手掛部３２の側面３２Ａは、外方に窪んでいる。手掛部３２の前面３２Ｂは、前方に窪んでいる。
【００２１】
前蓋３１と後蓋３３とは、ピン３６により互いに回転可能に連結されている。ピン３６は、前蓋３１の手掛部３２よりも下方に突出した凸部３１Ａと、後蓋３３の下方に突出した凸部３３Ａとを貫通している。凸部３１Ａ、凸部３３Ａ、および、ピン３６は、「蓋ヒンジ」に相当する。便蓋３０は、折り畳み構造を有する。前蓋３１は、ピン３６まわりに後蓋３３に対して回転することにより、前蓋３１の背面が後蓋３３の背面に接近することができる。前蓋３１および後蓋３３は、それぞれ背もたれ１５の開口Ｓよりも小さい。このため、図５Ｂに示されるように、前蓋３１と後蓋３３とが完全に折り畳まれた状態において便蓋３０は開口Ｓを通過することができる。
【００２２】
後蓋３３の後端部には、１つのカムヒンジ取付部３４と２つのヒンジ取付部３５が形成されている。カムヒンジ取付部３４は、ポータブルトイレ１の幅方向において２つのヒンジ取付部３５の間に配置されている。
【００２３】
図２（ｂ）に示されるように、各ヒンジ取付部３５は、２つの突出部３５Ａを有する。２つの突出部３５Ａは、互いに対向する側に凸３５Ｂが形成されている。凸３５Ｂは、外郭２０の上方に突出する軸受２３の穴２３Ａに嵌め込まれている。なお、凸３５Ｂおよび軸受２３は、「ヒンジ」に相当する。
【００２４】
図４を参照して、カムヒンジ４０の構成について説明する。
カムヒンジ４０は、便蓋３０に便蓋３０を開ける方向に作用する力を付与し、また、便蓋３０の回転位置が所定の回転範囲に含まれるとき、便蓋３０の回転位置を保持するカム機構を内蔵している。
【００２５】
カムヒンジ４０は、ヒンジ軸４１、ケース４２、カム５０、および、カムフォロワ６０を有する。
カム５０は、外郭２０に埋め込まれている。カム５０はカム面５１を有する。カム面５１は、カム５０の上端面に形成され、外郭２０から露出している。カム５０は、カムヒンジ取付部３４の２つの突出部３４Ａの間に配置されている。カム５０と突出部３４Ａとは、ヒンジ軸４１を介して取り付けられている。
【００２６】
ケース４２は、固定ピン６２を介して後蓋３３のうちの突出部３４Ａよりも前方側の部分に取り付けられている。カムフォロワ６０は、ケース４２の内部に収容されている。ばね４３は、カムフォロワ６０とケース４２の内部の底面との間に配置されている。
【００２７】
カムフォロワ６０は、ケース４２から露出した位置に、側面視において半円形状の突出部６１を有している。突出部６１は、ばね４３によりカム面５１に押し付けられている。
便蓋３０に、介護者や使用者により便蓋３０を開く方向の力が加えられたとき、または、閉める方向の力が加えられたとき、カムフォロワ６０の突出部６１がカム面５１に押し付けられながら、カム面５１上を移動する。カムフォロワ６０の移動にともなって固定ピン６２が移動し、後蓋３３がヒンジ軸４１まわりに回転する。
【００２８】
図１、および、図５Ａ〜図５Ｃを参照して、ポータブルトイレ１の作用について説明する。なお、図５Ａ〜図５Ｃは、肘掛１３を省略している。
図１に示される便蓋３０が最も閉じた状態である最小の回転位置において、使用者が手掛部３２の側面３２Ａまたは前面３２Ｂに指をかけ、前蓋３１に上方に向かう力をかけたとき、カムヒンジ４０は便蓋３０に開く方向の力を作用させる。具体的には、便蓋３０に外部から力がかけられることにより、突出部６１とカム面５１との関係が変化する。このため、ばね４３の力が突出部６１をカム面５１に押し付けながら後方に移動させる。このため、便蓋３０が自動的に開く。
【００２９】
図５Ａに示されるように、便蓋３０は、最も閉じた状態から背もたれ１５の間に形成される開口Ｓに移動するまでの範囲において、前蓋３１の前方が重力により下方にさがる。このため、便蓋３０は次第に折り畳まれながら後方の回転位置に移動する。
【００３０】
図５Ｂに示されるように、便蓋３０が開口Ｓを通過して開口Ｓよりも後方に移動したとき、便蓋３０の荷重とカムヒンジ４０に作用する回転トルクとの関係により、便蓋３０の自動的な移動が停止する。図５Ｂに示される便蓋３０の回転位置からさらに後方側の回転位置までの所定の回転範囲において、便蓋３０に外部から力が加えられないとき、カムヒンジ４０は、便蓋３０をその回転位置において保持する。なお、所定の回転範囲としては、後蓋３３が便座１２に直交する９０度から１４５度までの範囲が好ましい。
【００３１】
便蓋３０が所定の回転範囲にあるときに、便蓋３０に後方側に開く力が外部から加えられたとき、便蓋３０の回転位置は、所定の回転範囲よりも後方に移動する。便蓋３０の回転位置が所定の回転範囲を超えたとき、便蓋３０の荷重により、カムヒンジ４０は便蓋３０に後方側に移動させる力を作用させる。
【００３２】
図５Ｃに示されるように、便蓋３０は、便蓋３０と便座１２とが平行になる位置において最も開いた状態となり、カムヒンジ４０により便蓋３０のそれ以上の後方側への移動が規制される。
【００３３】
ポータブルトイレ１は以下の効果を奏する。
（１）ポータブルトイレ１は、カムヒンジ４０に加えてカム機構を内蔵していないヒンジにより便蓋３０と外郭２０とを連結している。このため、ヒンジの全てにカム機構を内蔵する場合と比較して、便蓋３０が開きやすく、かつ、組み立てやすくなる。
【００３４】
（２）ポータブルトイレ１は、２つのヒンジの間にカムヒンジ４０が配置されている。このため、カムヒンジ４０のヒンジ軸４１まわりの回転をヒンジ軸４１の両側において支持することができる。このため、便蓋３０がカムヒンジ４０を中心にねじれることを好適に抑制できる。
【００３５】
（３）介護者または使用者がポータブルトイレ１の幅方向の外側から手をかけるとき、前面３２Ｂに手をかける場合、手首をひねって手をかけるため、便蓋３０を開きにくい。ポータブルトイレ１は、手掛部３２の側面３２Ａが外方に向けて窪んでいる。このため、介護者または使用者がポータブルトイレ１の幅方向の外側から手をかけるときも便蓋３０を開きやすい。
【００３６】
また、幅方向の外側から便蓋３０を開閉するとき、便蓋３０に外方にねじれる力が生じやすくなる。ポータブルトイレ１は、カムヒンジ４０および２つのヒンジにより便蓋３０が外郭２０に連結されている。このため、介護者または使用者が外側から手掛部３２に手をかけて便蓋３０を開くときに便蓋３０が外方にねじれて開閉しにくくなることを抑制できる。
【００３７】
（４）便蓋３０は、折り畳み構造を有する。このため、便蓋３０を、開口Ｓを通して背もたれ１５よりも後方に移動させることができる。また、後蓋３３の背面に前蓋３１の背面が接近して折り畳まれる。このため、便蓋３０を開いたときに、便蓋３０の背面が露出しないため、衛生上において好ましい。
【００３８】
（５）カムヒンジ４０は、便蓋３０を背もたれ１５の開口Ｓよりも後方側における所定の回転範囲まで自動的に回転させる。このため、介護者や使用者は、ポータブルトイレ１を使用できる回転位置まで便蓋３０を簡単に開くことができる。
【００３９】
（６）カムヒンジ４０は、便蓋３０の回転位置が所定の回転範囲に含まれるとき、便蓋３０の回転位置を保持する。このため、使用者は便蓋３０を所望の位置で停止させた状態でポータブルトイレ１を使用することができる。例えば、使用者が便座１２に深く腰かける場合、便蓋３０の回転位置が背もたれ１５の開口Ｓと一致する位置では、腰と便蓋３０とが接触するおそれがある。この場合、カムヒンジ４０が便蓋３０を背もたれ１５の開口Ｓよりも後方の回転位置において保持させることができるため、使用者はポータブルトイレ１を快適に使用することができる。
【００４０】
（その他の実施形態）
本ポータブルトイレが取り得る具体的な形態は、上記実施形態に例示された形態に限定されない。本ポータブルトイレは、本発明の目的が達成される範囲において、上記実施形態とは異なる各種の形態を取り得る。以下に示される上記実施形態の変形例は、本ポータブルトイレが取り得る各種の形態の一例である。
【００４１】
・実施形態の後蓋３３の最大の回転位置を、後蓋３３が背もたれ１５の開口Ｓ内に位置する回転位置にすることもできる。
・実施形態のカムヒンジ４０を、後蓋３３の回転位置が背もたれ１５の開口位置よりも前方において保持することができるように変更することもできる。
【００４２】
・実施形態のカムフォロワ６０を収容するケース４２を外郭２０に埋め込み、カム５０を便蓋３０に固定することもできる。
・実施形態のポータブルトイレ１からヒンジの一方を省略することもできる。また、ヒンジを３つ以上備えることもできる。
【００４３】
・実施形態の２つのヒンジの両方を、カムヒンジ４０の右方または左方に配置することもできる。
・実施形態のカムヒンジ４０を２つ以上備えることもできる。この場合であっても、ヒンジを備えない場合と比較して、便蓋３０と外郭２０とを組み立てやすい。
【００４４】
・実施形態の手掛部３２を、便蓋３０の幅方向の側面に形成することもできる。また、便蓋３０から上方に突出する手掛部３２にすることもできる。要するに、ポータブルトイレ１の幅方向の外側から手をかけやすい手掛部３２であれば、いずれの手掛部３２を採用することもできる。
【００４５】
・実施形態の便蓋３０を、前蓋３１と後蓋３３とが一体的に形成された便蓋３０にすることもできる。
・実施形態のポータブルトイレ１から背もたれ１５を省略することもできる。
【符号の説明】
【００４６】
１…ポータブルトイレ、１５…背もたれ、２０…外郭、３０…便蓋、３１…前蓋、３２…手掛部、３２Ａ…側面、３３…後蓋、４０…カムヒンジ。
【図１】
2015134042.tif 000003
【図２】
2015134042.tif 000004
【図３】
2015134042.tif 000005
【図４】
2015134042.tif 000006
【図５Ａ】
2015134042.tif 000007
【図５Ｂ】
2015134042.tif 000008
【図５Ｃ】
2015134042.tif 000009